(57)【要約】【課題】前眼部撮影の際に、ステージの位置を容易かつ短時間に調節すること。【解決手段】被検眼を照明する照明部と、照明された被検眼からの反射像を撮影する撮影部と、被検眼の撮影部位に応じて基台上の撮影領域の位置に撮影部を位置決めするステージと、基台上でステージを移動する移動部と、を有する眼科撮影装置は、ステージが、被検眼の眼底を撮影するための撮影領域と被検眼の前眼部を撮影するための撮影領域との間の境界領域を移動したことを検知して、検知の結果を報知する報知部を有する。【選択図】  図５
2014223152.tif 000002
【特許請求の範囲】
【請求項１】
被検眼を照明する照明手段と、照明された前記被検眼からの反射像を撮影する撮影手段と、前記被検眼の撮影部位に応じて基台上の撮影領域の位置に前記撮影手段を位置決めするステージと、前記基台上で前記ステージを移動する移動手段と、を有する眼科撮影装置であって、
前記ステージが、前記被検眼の眼底を撮影するための撮影領域と前記被検眼の前眼部を撮影するための撮影領域との間の境界領域を移動したことを検知して、前記検知の結果を報知する報知手段
を有することを特徴とする眼科撮影装置。
【請求項２】
前記報知手段は、
前記ステージに設けられており、前記移動手段に対して前記ステージの移動方向を指示する操作桿と、
前記基台上に設けられており、前記ステージの移動の際に前記操作桿に設けられている球状部材を移動可能に支持する板状部材と、  
を備えることを特徴とする請求項１に記載の眼科撮影装置。
【請求項３】
前記板状部材には、眼底を撮影するための撮影領域と前眼部を撮影するための撮影領域との間の境界領域に凸部が設けられており、
前記報知手段は、前記ステージの移動の際に、前記球状部材が前記凸部を通過ときに前記操作桿に伝達される振動により前記報知を行うことを特徴とする請求項２に記載の眼科撮影装置。
【請求項４】
前記板状部材には、眼底を撮影するための撮影領域と前眼部を撮影するための撮影領域との間の境界領域に凹部が設けられており、
前記報知手段は、前記ステージの移動の際に、前記球状部材が前記凹部を通過ときに前記操作桿に伝達される振動により前記報知を行うことを特徴とする請求項２に記載の眼科撮影装置。
【請求項５】
前記板状部材の前記境界領域には、前記眼底を撮影するための撮影領域および前眼部を撮影するための撮影領域の摩擦係数と異なる摩擦係数の部材が形成されており、
前記報知手段は、前記ステージの移動の際に、前記球状部材が前記異なる摩擦係数の部材を通過ときに前記操作桿に伝達される振動により前記報知を行うことを特徴とする請求項２に記載の眼科撮影装置。
【請求項６】
被検眼を照明する照明手段と、照明された前記被検眼からの反射像を撮影する撮影手段と、前記被検眼の撮影部位に応じて基台上の撮影領域の位置に前記撮影手段を位置決めするステージと、前記基台上で前記ステージを移動する移動手段と、を有する眼科撮影装置であって、
前記ステージが、前記被検眼の眼底を撮影するための撮影領域および前記被検眼の前眼部を撮影するための撮影領域のうち、いずれかの撮影領域に位置するかを検出する検出手段と、
前記検出手段の検出結果を報知する報知手段と、
を有することを特徴とする眼科撮影装置。
【請求項７】
前記報知手段は、前記検出手段の検出結果により、前記ステージが、前記被検眼の眼底を撮影するための撮影領域から前記被検眼の前眼部を撮影するための撮影領域へ移動したことを報知することを特徴とする請求項６に記載の眼科撮影装置。
【請求項８】
前記報知手段は、前記検出手段の検出結果により、前記ステージが、前記前眼部を撮影する撮影領域から前記眼底を撮影する撮影領域へ移動したことを報知することを特徴とする請求項６に記載の眼科撮影装置。
【請求項９】
前記報知手段は発音部材を有し、前記発音部材からの報知音の出力により前記報知を行うことを特徴とする請求項６乃至８のいずれか１項に記載の眼科撮影装置。
【請求項１０】
前記報知手段は発光部材を有し、前記発光部材からの可視光の発光により前記報知を行うことを特徴とする請求項６乃至８のいずれか１項に記載の眼科撮影装置。
【請求項１１】
前記報知手段は、前記検出手段の検出結果を表示手段に表示することで前記報知を行うことを特徴とする請求項６乃至８のいずれか１項に記載の眼科撮影装置。
【発明の詳細な説明】
【技術分野】
【０００１】
本発明は被検眼の前眼部を撮影する機能を有する眼科撮影装置に関する。
【背景技術】
【０００２】
被検眼の眼底および前眼部を観察・撮影することができる眼底カメラが従来から知られている。眼底カメラを用いて前眼部の撮影を行う際、検者は以下の操作を行っている。まず、強度遠視用の視度補正レンズを光路内に挿入すると共に、観察・撮影光学系が搭載された可動ステージを被検眼から大きく遠ざける。そして、フォーカスレンズを遠視方向に移動させた上で、前眼部を観察しながらアライメントおよび合焦操作を行い、撮影を実施している。このように、眼底カメラにおける前眼部の撮影は操作が非常に煩雑なため、撮影に時間がかかってしまうという問題がある。
【０００３】
特許文献１では、ステージの位置検出部によりステージの位置を検出し、検出した位置に応じて、強度遠視用の視度補正レンズを光路内に挿入させる眼底カメラが開示されている。
【０００４】
また、特許文献２では、撮影モード切換え部を設け、検者により前眼部撮影モードが選択されることにより、強度遠視用の視度補正レンズが光路内に挿入されると共に、フォーカスレンズが遠視方向に移動する眼底カメラが開示されている。
【先行技術文献】
【特許文献】
【０００５】
【特許文献１】特開平６−２５４０５４号公報
【特許文献２】特開２０１２−５０５９２号公報
【発明の概要】
【発明が解決しようとする課題】
【０００６】
上述の眼底カメラでは、前眼部を撮影する際のレンズ操作の一部を自動で行うことにより、検者の操作負担を軽減している。
【０００７】
しかしながら、前眼部を撮影する際の操作の１つである、可動ステージを被検眼から遠ざける操作においては、ステージが前眼部撮影の適正領域を越えて前後動するため、所望の距離にステージを調節するのに手間取り、時間がかかってしまう場合があった。
【０００８】
本発明は、このような問題点に鑑みてなされたものであり、前眼部撮影の際に、ステージの位置を容易かつ短時間に調節することができる撮影技術の提供を目的とする。
【課題を解決するための手段】
【０００９】
本発明の一つの側面に係る眼科撮影装置は、被検眼を照明する照明手段と、照明された前記被検眼からの反射像を撮影する撮影手段と、前記被検眼の撮影部位に応じて基台上の撮影領域の位置に前記撮影手段を位置決めするステージと、前記基台上で前記ステージを移動する移動手段と、を有する眼科撮影装置であって、
前記ステージが、前記被検眼の眼底を撮影するための撮影領域と前記被検眼の前眼部を撮影するための撮影領域との間の境界領域を移動したことを検知して、前記検知の結果を報知する報知手段を有することを特徴とする。
【発明の効果】
【００１０】
本発明によれば、検者は報知により前眼部撮影時のステージの位置を認識することができるため、前眼部撮影の際に、ステージの位置を容易かつ短時間に調節することが可能となる。
【図面の簡単な説明】
【００１１】
【図１】本発明の実施形態に係る眼科撮影装置の全体図。
【図２】本発明の実施形態に係る眼科撮影装置の光学ユニットの構成図。
【図３】本発明の実施形態に係る視度補正レンズユニットの構成図。
【図４】第１実施形態に係るステージの位置検出部の構成を例示する図。
【図５】第２実施形態に係る眼科撮影装置のジョイスティックと摩擦板の構成を例示する図。
【図６】第２実施形態に係る摩擦板の構成を例示する図。
【図７】本発明の実施形態に係る眼科撮影装置の機能構成を例示する図。
【発明を実施するための形態】
【００１２】
以下、図面を参照して、本発明の実施形態を例示的に詳しく説明する。ただし、実施形態に記載されている構成要素はあくまで例示であり、本発明の技術的範囲は、特許請求の範囲によって確定されるのであって、以下の個別の実施形態によって限定されるわけではない。
【００１３】
（第１実施形態）
図１は本発明の実施形態に係る眼底カメラ（眼科撮影装置）の全体的な構成を示す図である。被検眼を観察・撮影するための光学系を備えた光学ユニット１は、固定基台２上を前後左右（ｘｙ平面内）に移動可能な可動ステージ３に固定されている。また、可動ステージ３には、撮影スイッチ４を有するジョイスティック５が設置されており、検者はジョイスティック５の操作によって可動ステージ３を所望の位置へ移動させることができる。可動ステージ３は、被検眼Ｅの撮影部位に応じて固定基台２上の撮影領域の位置に光学ユニット１を位置決めする。
【００１４】
図２は本発明の実施形態に係る眼科撮影装置の光学ユニット１の構成図であり、図３は視度補正レンズユニットの構成図である。光軸Ｌ１、Ｌ２上には照明光学系が構成されている。ハロゲンランプ等の観察用光源６は定常光を発する。フィルター７は赤外光を透過し可視光を遮断する。キセノン管等の撮影用光源８は可視光を発する。光軸Ｌ１上（光路Ｌ１）には、観察用光源６、フィルター７、撮影用光源８、観察用光源６および撮影用光源８から照射された光を集光するためのコンデンサレンズ９、およびミラー１０が配置されている。
【００１５】
光路Ｌ２上（光路Ｌ２）には、リレーレンズ１１、光路に挿脱自在でピント調整の指標となるスプリット指標ユニット１２、リレーレンズ１３、中央部に開口を有する穴開きミラー１４が配置されている。
【００１６】
光軸Ｌ３上（光路Ｌ３）には、アライメント指標ユニット１５および被検眼Eに対向した対物レンズ１６が配置されている。
【００１７】
光軸L４上（光路Ｌ４）には、観察撮影光学系として、合焦範囲を拡大することができる視度補正レンズユニット１７、光軸Ｌ４に沿って移動してフォーカスを調整するフォーカスレンズ１８、結像レンズ１９、撮影部２０が配置されている。なお、視度補正レンズユニット１７は、図３に示すように強度近視用の補正レンズ１７ａと強度遠視用の補正レンズ１７ｂを備えており、被検眼の視度に対応する補正レンズを光路内に挿脱可能となっている。例えば、強度近視眼でなく強度遠視眼でもない一般眼を撮影する際に、光軸中心が貫通穴１７ｃを通るように視度補正レンズユニット１７は光路内に配置される。強度近視眼を撮影する際に、光軸中心が強度近視用の補正レンズ１７ａを通るように視度補正レンズユニット１７は光路内に配置される。また、強度遠視眼を撮影する際に、光軸中心が強度遠視用の補正レンズ１７ｂを通るように視度補正レンズユニット１７は光路内に配置される。
【００１８】
撮影部２０の出力は、眼科撮影装置の動作を制御する制御部２１に出力される。更に、制御部２１は、演算処理部２２、フラッシュメモリー等の記憶媒体を有する記憶部２３、および表示モニタ２４と接続されている。また、制御部２１は、ステージの位置を検出するセンサー等から構成されるステージ位置検出部２５、発音部材もしくは発光部材等から構成される報知部２６、および撮影スイッチ４と接続されている。
【００１９】
眼底観察時には、制御部２１の制御により観察用光源６が発光し、照射された光束のうち、フィルター７で赤外光のみが透過され、コンデンサレンズ９によって集光される。集光された光束はミラー１０によって光軸Ｌ２方向へ反射された後、リレーレンズ１１、リレーレンズ１３を介して、穴開きミラー１４によって、光軸Ｌ３方向へ再度反射される。光軸Ｌ３方向へ反射された光束は、対物レンズ１６を介して、被検眼Ｅの眼底Ｅｒに照射される。
【００２０】
眼底Ｅｒに照射された光束は、反射散乱されて眼底反射像として被検眼Ｅから射出する。この光束は対物レンズ１６、穴開きミラー１４の中央開口部を通過し、フォーカスレンズ１８、結像レンズ１９を介して撮影部２０に眼底像として結像される。結像された眼底像は、撮影部２０の撮影素子によって光電変換された後、制御部２１を介して演算処理部２２に入力され、演算処理部２２にてＡ／Ｄ変換され、表示モニタ２４に表示される。
【００２１】
眼底撮影時には、検者は表示モニタ２４に表示されたアライメント指標を見ながら、ジョイスティック５を操作して可動ステージ３を被検眼Ｅに対して位置決めする。検者はジョイスティック５を傾倒操作することにより、可動ステージ３の移動方向、移動量、移動速度を指示する。次いで、スプリット指標を基にフォーカスレンズ１８を移動して被検眼Ｅの眼底Ｅｒへの合焦調整を行い、撮影スイッチ４を操作して眼底撮影を行う。
【００２２】
撮影スイッチ４が操作されると、制御部２１の制御により撮影用光源８が発光する。撮影用光源８から照射された光束は、コンデンサレンズ９により集光された後、前述の観察用の照明光束と同一の経路をたどり、被検眼Ｅの眼底Ｅｒに照射される。眼底Ｅｒからの反射像は、対物レンズ１６、穴開きミラー１４の中央開口部を通過し、フォーカスレンズ１８、結像レンズ１９を介して撮影部２０に眼底像として結像される。結像された眼底像は、撮影部２０の撮影素子によって光電変換された後、制御部２１を介して演算処理部２２に入力され、演算処理部２２にて同様にＡ／Ｄ変換され、記憶部２３に記憶される。
【００２３】
前眼部撮影時には、検者は強度遠視用の補正レンズ１７ｂを光路内に挿入し、フォーカスレンズ１８を遠視方向に移動させると共に、可動ステージ３を被検眼Ｅから大きく遠ざける操作を行う。
【００２４】
図７は、本発明の実施形態に係る眼科撮影装置の全体的な機能構成を例示的に説明する図である。図１、２の構成要素と同一のものには、同一の参照番号を付して、説明を省略する。
【００２５】
制御部２１には、傾倒角度入力部７１、測定開始信号入力部７２が接続されている。ジョイスティック５からの指示（信号）は、傾倒角度入力部７１、測定開始信号入力部７２を介して、制御部２１に入力される。傾倒角度入力部７１はジョイスティック５を前後左右に傾けたときの傾倒角度を検出し、検出した傾倒角度を制御部２１に入力する。測定開始信号入力部７２はジョイスティック５の撮影スイッチ４の押下時の信号を受け付け、制御部２１に入力する。
【００２６】
また、制御部２１にはレンズ駆動部７３が接続されており、制御部２１からの指示（信号）に応じて、レンズ駆動部７３はフォーカスレンズ１８の移動、視度補正レンズユニット１７の移動（光路内の挿脱）を制御する。
【００２７】
制御部２１にはスプリット指標ユニット駆動部７４が接続されており、制御部２１からの指示（信号）に応じて、スプリット指標ユニット駆動部７４はスプリット指標ユニット１２の移動（光路内の挿脱）を制御する。
【００２８】
光源駆動部７５は、制御部２１からの指示（信号）を受付け、観察用光源６、撮影用光源８の点灯、消灯を制御する。
【００２９】
ステージ移動部７６は、可動ステージ３を各軸（ｘ、ｙ、ｚ）方向に駆動するモータとモータの駆動回路を有し、制御部２１からの指示（信号）に応じて、固定基台上でステージを移動する。
【００３０】
図４はステージ位置検出部の構成を例示する図である。固定基台２の上面には、眼底撮影時のステージ調節領域（眼底撮影領域２ａ）と前眼部撮影時のステージ調節領域（前眼部撮影領域２ｂ）との境界で、固定基台２の面の高さに高低差が設けられている。
【００３１】
可動ステージ３の底面に設けられているステージ位置検出部２５は、接触式センサーを構成する部材として、可動部材４６と固定部材４７とを有する。可動部材４６は節点４８を中心にして回転移動可能である。可動部材４６と固定部材４７とが接触すると、ステージ位置検出部２５は電気的に導通したオン状態（ＯＮ状態）を検知する。また、可動部材４６が固定部材４７から離間すると、ステージ位置検出部２５は電気的に導通していないオフ状態（ＯＦＦ状態）を検知する。
【００３２】
可動ステージ３が、例えば、固定基台２上をｘ方向に沿って移動する場合、固定基台２の面上に設けられた高低差に応じて可動部材４６が回転移動する。眼底撮影領域２ａでは、固定基台２の面の高さが前眼部撮影領域２ｂよりも低いため、ステージ位置検出部２５（可動ステージ３）と固定基台２の面との間隔が広くなる。このため、可動部材４６は節点４８を中心にして固定部材４７から離間する方向に回転する。眼底撮影領域２ａと前眼部撮影領域２ｂとの境界領域２ｃでは、固定基台２の面に勾配が設けられている。このため、境界領域２ｃにおいて、可動部材４６は、固定基台２の面の高さ（勾配）にならい、可動部材４６の先端部が固定基台２の面に押されることにより節点４８を中心にして固定部材４７に接触する方向に回転する。
【００３３】
前眼部撮影領域２ｂでは、固定基台２の面の高さが眼底撮影領域２ａよりも高いため、ステージ位置検出部２５と固定基台２の面との間隔が狭くなる。このため、可動部材４６は節点４８を中心にして回転し、固定部材４７と接触する。
【００３４】
可動ステージ３の底面に設けられたステージ位置検出部２５は、この高低差によって、固定基台２上における可動ステージ３の位置を検出する。すなわち、ステージ位置検出部２５は固定基台２の低い面（眼底撮影領域２ａ）の上方に可動ステージ３が位置する場合はオフ状態を検知する。逆に、ステージ位置検出部２５は、固定基台２の高い面（前眼部撮影領域２ｂ）の上方に可動ステージ３が位置する場合はオン状態を検知する。
【００３５】
検者が可動ステージ３を被検眼Ｅから大きく遠ざける操作をする際、眼底撮影領域２ａから前眼部撮影領域２ｂに可動ステージ３が進入すると、ステージ位置検出部２５がオン状態を検知する。ステージ位置検出部２５から出力された検出結果を示す信号は制御部２１に入力され、例えば、ブザーやＬＥＤなどの発音部材・発光部材を有する報知部２６によって、可動ステージ３が前眼部撮影領域２ｂに進入したことが検者に報知される。報知部２６は、発音部材からの報知音の出力により報知を行う。あるいは、報知部２６は、発光部材からの可視光の発光により報知を行う。これにより検者は、可動ステージ３が前眼部撮影領域２ｂに入ったことを認識できるため、それ以上の余分なステージ操作をしなくて済むこととなり、結果的にステージ位置を短時間かつ容易に調節することができる。
【００３６】
上述の操作終了後、検者は表示モニタ２４に表示された被検眼Ｅの前眼部Ｅｐを観察しながらアライメントおよび合焦調整を行い、撮影スイッチ４を操作して前眼部撮影を行う。撮影スイッチ４が操作されると、眼科撮影装置は眼底撮影時と同一のシーケンスを行い、撮影した前眼部の撮影画像は記憶部２３に記憶される。
【００３７】
本実施形態においては、ステージ位置検出部２５として接触式センサーを使用しているが、近接センサーなどの非接触式センサーを使用しても良い。また、検者に対する報知を報知部２６によって行ったが、報知の例はこの場合に限定されず、例えば、制御部２１は可動ステージ３が前眼部撮影領域２ｂに入ったことを表示モニタ２４に表示して検者に報知しても良い。
【００３８】
（第２実施形態）
本実施形態では、第１実施形態で説明したステージ位置検出部２５および報知部２６の替わりとして、ジョイスティック５および摩擦板２７（板状部材）に報知機能を持たせた構成を説明する。眼科撮影装置の全体構成は第１実施形態で説明した図１と同様であるため、説明を省略する。
【００３９】
図５はジョイスティック５（操作桿）と摩擦板（板状部材）の構成を例示する図である。摩擦板２７（板状部材）は固定基台２に設置されており、ジョイスティック５の球面部５ａ（球状部材）を移動可能に支持する。可動ステージ３を大きく移動させる粗動時は、ジョイスティック５の球面部５ａ（球状部材）が摩擦板２７上を滑りながら移動する。また、可動ステージ３を小さく移動させる微動時は、ジョイスティック５を所望の方向へ傾けることで、ジョイスティック５の球面部５ａ（球状部材）が摩擦板２７（板状部材）との摩擦力によって転がりながら移動する機構となっている。前眼部撮影のために可動ステージ３を被検眼Ｅから大きく遠ざける操作は粗動操作であり、ジョイスティック５の球面部５ａは摩擦板２７上を滑りながら移動することとなる。
【００４０】
図６は報知機能を有した摩擦板２７の構成を例示する図である。図６（ａ）の摩擦板２７には、眼底撮影領域２ａと前眼部撮影領域２ｂとの間の境界領域２ｃに凸部２７ａが設けられている。粗動操作により可動ステージ３が眼底撮影領域２ａから前眼部撮影領域２ｂへ移動する際に、ジョイスティック５（操作桿）の球面部５ａは凸部２７ａを通過する（乗り越える）。凸部２７ａを通過する（乗り越える）際に振動が生じ、この振動がジョイスティック５を介して検者に伝達される。ジョイスティック５を介して伝達された振動により、検者は可動ステージ３が前眼部撮影領域２ｂに入ったことを認識できる。尚、眼底撮影領域２ａから前眼部撮影領域２ｂへの移動に限らず、前眼部撮影領域２ｂから眼底撮影領域２ａへの移動においても同様である。
【００４１】
図６（ｂ）の摩擦板２７には、眼底撮影領域２ａと前眼部撮影領域２ｂとの間の境界領域２ｃに凹部２７ｂが設けられている。粗動操作により可動ステージ３が眼底撮影領域２ａから前眼部撮影領域２ｂへ移動する際に、ジョイスティック５５（操作桿）の球面部５ａは凹部２７ｂを通過する（凹部２７ｂに嵌り、凹部２７ｂから離脱する）ことになる。球面部５ａが凹部２７ｂを通過する（凹部２７ｂに嵌り、凹部２７ｂから離脱する）際に振動が生じ、この振動がジョイスティック５を介して検者に伝達される。ジョイスティック５を介して伝達された振動により、検者は可動ステージ３が前眼部撮影領域２ｂに入ったことを認識できる。尚、眼底撮影領域２ａから前眼部撮影領域２ｂへの移動に限らず、前眼部撮影領域２ｂから眼底撮影領域２ａへの移動においても同様である。
【００４２】
図６（ｃ）の摩擦板２７には、眼底撮影領域２ａおよび前眼部撮影領域２ｂの部材の摩擦係数とは異なる摩擦係数の部材が境界領域２ｃに形成されている。粗動操作により可動ステージ３が眼底撮影領域２ａから前眼部撮影領域２ｂへ移動する際に、ジョイスティック５の球面部５ａは摩擦係数の異なる部材２７ｃを通過することになる。部材２７ｃを通過する際に眼底撮影領域２ａとは異なる滑り感（例えば、振動や抵抗感の変化）が検者に伝えられ、異なる滑り感により、検者は可動ステージ３が前眼部撮影領域２ｂに入ったことを認識できる。例えば、部材２７ｃの摩擦係数（μ１）を、眼底撮影領域２ａおよび前眼部撮影領域２ｂの部材の摩擦係数（μ２）と異なる部材とする。粗動操作により可動ステージ３が眼底撮影領域２ａから前眼部撮影領域２ｂへ移動する際に、ジョイスティック５（操作桿）の球面部５ａは部材２７ｃを通過する。部材２７ｃを通過する際に振動（例えば、びびり振動）が生じ、この振動がジョイスティック５を介して検者に伝達される。ジョイスティック５を介して伝達された振動により、検者は可動ステージ３が前眼部撮影領域２ｂに入ったことを認識できる。尚、眼底撮影領域２ａから前眼部撮影領域２ｂへの移動に限らず、前眼部撮影領域２ｂから眼底撮影領域２ａへの移動においても同様である。
【００４３】
図６（ａ）〜（ｃ）に例示した摩擦板２７を使用することにより、検者は、ステージ粗動操作中にジョイスティック５を介して手に異質な滑り感を感じる。これにより、検者は可動ステージ３が眼底撮影領域２ａから前眼部撮影領域２ｂに進入したことを認識することができる。本実施形態では、図６（ａ）〜（ｃ）において、３つの摩擦板２７の構成例を説明したが、本発明の趣旨はこれらの構成例に限定されるものではなく、ジョイスティック５を介して操作者に何らかの信号を伝達できる構造であれば、適用可能である。
【００４４】
上述の第１および第２の実施形態によれば、検者は報知により前眼部撮影時のステージの位置を認識することができるため、前眼部撮影の際に、ステージの位置を容易かつ短時間に調節することができる。また、撮影時間の短縮を図ることが可能となる。
【００４５】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014223152.tif 000003
【図２】
2014223152.tif 000004
【図３】
2014223152.tif 000005
【図４】
2014223152.tif 000006
【図５】
2014223152.tif 000007
【図６】
2014223152.tif 000008
【図７】
2014223152.tif 000009